(57)【特許請求の範囲】
【請求項１】
筐体と、
前記筐体に配設され、無線通信信号の送信および受信を行う無線通信信号用アンテナと、
前記筐体に配設され、テレビジョン信号の受信を行うテレビジョン信号用アンテナと、
前記無線通信信号用アンテナからの信号を処理する無線通信信号処理部と、
前記テレビジョン信号用アンテナからの信号を処理するテレビジョン信号処理部と、
前記テレビジョン信号用アンテナと前記テレビジョン信号処理部との間で、アンテナの高周波的な整合状態を変更する整合状態変更部と、
前記テレビジョン信号の受信状態および前記無線通信信号の通信状態に応じて、前記無線通信信号用アンテナと前記テレビジョン信号用アンテナとの高周波的な整合状態を変更するように前記整合状態変更部を制御する制御部と、
通信先のアドレス情報を含むアドレス帳を記憶する記憶部と、を備え、
前記制御部は、前記無線通信信号用アンテナでの無線通信信号の通信先が前記アドレス帳に登録されているアドレス情報と一致する通信先であるとき、前記無線通信信号用アンテナでの無線通信信号の通信状態を優先するように前記整合状態変更部を制御する
携帯電子機器。
【請求項２】
前記筐体は、第１の筐体と、第２の筐体とからなり、
前記第１の筐体に対して前記第２の筐体が回動して折り畳み可能となるように、該第１の筐体と、該第２の筐体とを連結するヒンジ部と、を備え、
前記無線通信信号用アンテナは、前記第１の筐体に配設され、
前記テレビジョン信号用アンテナは、前記第２の筐体に配設される回路基板をアンテナとして機能させる筐体ダイポールアンテナとして構成される請求項１記載の携帯電子機器。
【請求項３】
前記無線通信信号用アンテナでの無線通信信号の通信状態または前記テレビジョン信号用アンテナでの前記受信状態の何れの状態を優先するかを設定する設定部を備え、
前記制御部は、前記無線通信信号用アンテナでの無線通信信号の通信状態が受信状態であるとき、前記設定部により設定された内容に応じて、前記無線通信信号用アンテナでの無線通信信号の受信状態または前記テレビジョン信号用アンテナでの前記受信状態を優先するように前記整合状態変更部を制御する請求項１または２記載の携帯電子機器。
【請求項４】
前記無線通信信号用アンテナでの無線通信信号の通信状態または前記テレビジョン信号用アンテナでの前記受信状態の何れの状態を優先するかを設定する設定部を備え、
前記制御部は、前記無線通信信号用アンテナでの無線通信信号の通信状態が送信状態であるとき、前記設定部により設定された内容に応じて、前記無線通信信号用アンテナでの無線通信信号の送信状態または前記テレビジョン信号用アンテナでの前記受信状態を優先するように前記整合状態変更部を制御する請求項１から３のいずれか１項に記載の携帯電子機器。
【請求項５】
筐体と、前記筐体に配設され、無線通信信号の送信および受信を行う無線通信信号用アンテナと、前記筐体に配設され、テレビジョン信号の受信を行うテレビジョン信号用アンテナと、前記無線通信信号用アンテナからの信号を処理する無線通信信号処理部と、前記テレビジョン信号用アンテナからの信号を処理するテレビジョン信号処理部と、通信先のアドレス情報を含むアドレス帳を記憶する記憶部と、を備える携帯電子機器の制御方法であって、
前記テレビジョン信号の受信状態および前記無線通信信号の通信状態に応じて、前記テレビジョン信号用アンテナと前記テレビジョン信号処理部との間で、アンテナの高周波的な整合状態を変更する整合状態変更工程と、
前記整合状態変更工程により、アンテナの高周波的な整合状態が変更されたテレビジョン信号に基づいて、前記テレビジョン信号処理部による信号処理を行う信号処理工程と、
前記無線通信信号用アンテナでの無線通信信号の通信先が前記アドレス帳に登録されているアドレス情報と一致する通信先であるとき、前記無線通信信号用アンテナでの無線通信信号の通信状態を優先するよう制御する制御工程と、を含む
携帯電子機器の制御方法。
【発明の詳細な説明】
【技術分野】
【０００１】
本発明は、複数のアンテナを備える携帯電子機器及びその制御方法に関する。
【背景技術】
【０００２】
従来より、携帯電話・移動体端末向けの１セグメント部分受信サービス、いわゆる、ワンセグ放送を受信可能な携帯電話機が多数開発されている。このような携帯電話機において、ワンセグ放送の受信用のアンテナ（ワンセグ放送用アンテナ）を備えたものが知られている（特許文献１を参照）。
【０００３】
このように構成される携帯電話機においては、通話用アンテナとワンセグ放送用アンテナとの性能は、アンテナ同士が干渉して、互いの性能を劣化させる等のトレードオフの関係になることが多い。また、現状においては、通話用アンテナをメインのアンテナとして重視する傾向がある。
【先行技術文献】
【特許文献】
【０００４】
【特許文献１】特開２００９−２７８５６０号公報
【発明の概要】
【発明が解決しようとする課題】
【０００５】
ところで、上述したような通話用アンテナおよびワンセグ放送用アンテナを備える携帯電話機に対して、ユーザからは、通話を重視するニーズが多い。また、一方で、例えば、ワンセグ放送の録画中に通話をするときには、ワンセグを重視したいというニーズもあり、設定や場合分けに応じて、通話とワンセグ放送のウエイトの変更可能にするような機能が望まれている。
【０００６】
そこで、本発明は、複数のアンテナにおけるアンテナの性能を調整可能な携帯電子機器及びその制御方法を提供することを目的とする。
【課題を解決するための手段】
【０００７】
本発明に係る携帯電子機器は、上記課題を解決するために、筐体と、前記筐体に配設され、無線通信信号の送信および受信を行う無線通信信号用アンテナと、前記筐体に配設され、テレビジョン信号の受信を行うテレビジョン信号用アンテナと、前記無線通信信号用アンテナからの信号を処理する無線通信信号処理部と、前記テレビジョン信号用アンテナからの信号を処理するテレビジョン信号処理部と、前記テレビジョン信号用アンテナと前記テレビジョン信号処理部との間で、アンテナの高周波的な整合状態を変更する整合状態変更部と、前記テレビジョン信号の受信状態および前記無線通信信号の通信状態に応じて、前記無線通信信号用アンテナと前記テレビジョン信号用アンテナとの高周波的な整合状態を変更するように前記整合状態変更部を制御する制御部と、を備える。
【０００８】
また、携帯電子機器では、前記筐体は、第１の筐体と、第２の筐体とからなり、前記第１の筐体に対して前記第２の筐体が回動して折り畳み可能となるように、該第１の筐体と、該第２の筐体とを連結するヒンジ部と、を備え、前記無線通信信号用アンテナは、前記第１の筐体に配設され、前記テレビジョン信号用アンテナは、前記第２の筐体に配設される第２の回路基板をアンテナとして機能させる筐体ダイポールアンテナとして構成されることが好ましい。
【０００９】
また、携帯電子機器では、前記無線通信信号用アンテナでの無線通信信号の受信状態または前記テレビジョン信号用アンテナでの前記受信状態の何れの状態を優先するかを設定する設定部を備え、前記制御部は、前記無線通信信号用アンテナでの無線通信信号の通信状態が受信状態であるとき、前記設定部により設定された内容に応じて、前記前記無線通信信号用アンテナでの無線通信信号の受信状態または前記テレビジョン信号用アンテナでの前記受信状態を優先するように前記整合状態変更部を制御することが好ましい。
【００１０】
また、携帯電子機器では、前記無線通信信号用アンテナでの無線通信信号の受信状態または前記テレビジョン信号用アンテナでの前記受信状態の何れの状態を優先するかを設定する設定部を備え、前記制御部は、前記無線通信信号用アンテナでの無線通信信号の通信状態が送信状態であるとき、前記設定部により設定された内容に応じて、前記無線通信信号用アンテナでの無線通信信号の送信状態または前記テレビジョン信号用アンテナでの前記受信状態を優先するように前記整合状態変更部を制御することが好ましい。
【００１１】
また、携帯電子機器では、通信先のアドレス情報を含むアドレス帳を記憶する記憶部を更に備え、前記制御部は、前記無線通信信号用アンテナでの無線通信信号の通信先が前記アドレス帳に登録されているアドレス情報と一致しない通信先であるとき、前記無線通信信号用アンテナでの無線通信信号の通信状態を優先するように前記整合状態変更部を制御することが好ましい。
【００１２】
本発明に係る携帯電子機器の制御方法は、上記課題を解決するために、筐体と、前記筐体に配設され、無線通信信号の送信および受信を行う無線通信信号用アンテナと、前記筐体に配設され、テレビジョン信号の受信を行うテレビジョン信号用アンテナと、前記無線通信信号用アンテナからの信号を処理する無線通信信号処理部と、前記テレビジョン信号用アンテナからの信号を処理するテレビジョン信号処理部と、を備える携帯電話機の制御方法であって、前記テレビジョン信号の受信状態および前記無線通信信号の通信状態に応じて、前記テレビジョン信号用アンテナと前記テレビジョン信号処理部との間で、アンテナの高周波的な整合状態を変更する整合状態変更工程と、前記整合状態変更工程により、アンテナの高周波的な整合状態が変更されたテレビジョン信号に基づいて、前記テレビジョン信号処理部による信号処理を行う信号処理工程と、を含む。
【発明の効果】
【００１３】
本発明によれば、複数のアンテナを備える携帯電子機器において、それぞれのアンテナの性能を調整することができる。
【図面の簡単な説明】
【００１４】
【図１】本発明の携帯電子機器の一実施形態である携帯電話機の外観を示す図である。
【図２】図１の携帯電話機の構成を示すブロック図である。
【図３】アンテナの性能の調整に係る機能的構成の例を示す機能ブロック図である。
【図４】本実施形態の携帯電話機の通話に係る動作を示すフローチャートである。
【図５】本実施形態の携帯電話機の設定を説明する図である。
【発明を実施するための形態】
【００１５】
以下、本発明の好適な実施形態の一例について説明する。なお、本実施形態では、携帯電子機器の具体例として携帯電話機１を想定して説明するが、これに限られず、例えば、携帯電子機器とは使用周波数帯や変調方式等が異なるＰＨＳ（Ｐｅｒｓｏｎａｌ  Ｈａｎｄｙ  ｐｈｏｎｅ  Ｓｙｓｔｅｍ）端末や、ＰＤＡ（Ｐｅｒｓｏｎａｌ  Ｄｉｇｉｔａｌ  Ａｓｓｉｓｔａｎｔ）等の様々な携帯電子機器に適用可能である。
【００１６】
図１は、本発明の携帯電子機器の一実施形態である携帯電話機１の外観を示す図であり、（ａ）は展開状態を示す図であり、（ｂ）は折り畳み状態を示す図である。
携帯電話機１は、図１（ａ）および図１（ｂ）に示すように、操作部側筐体１Ａ、と表示部側筐体１Ｂとをヒンジ部２で連結した折り畳み式の携帯電話機１として構成される。なお、本実施形態において、携帯電話機１は、折り畳み式の携帯電話機として説明するがこれに限られず、例えば、ストレート式の携帯電話機として構成することも可能である。
【００１７】
また、携帯電話機１は、通話とワンセグ放送を受信可能に構成され、通話用アンテナ１１と、ワンセグ放送用アンテナ１２を備える。
図１に示すように、通話用アンテナ１１は、操作部側筐体１Ａのヒンジ部２の近傍に配設される。
一方、ワンセグ放送用アンテナ１２は、表示部側筐体１Ｂに配設される。このワンセグ放送用アンテナ１２は、表示部側筐体１Ｂをアンテナとして機能させる、いわゆる、筐体ダイポールアンテナとして構成される。
【００１８】
図２は、図１の携帯電話機１の構成を示すブロック図である。
携帯電話機１は、通話用アンテナ１１と、通話用ＲＦ回路１３と、ワンセグ放送用アンテナ１２と、ワンセグ放送用ＲＦ回路１４と、ＣＰＵ１５（Ｃｅｎｔｒａｌ  Ｐｒｏｃｅｓｓｉｎｇ  Ｕｎｉｔ、制御部）と、記憶部１６と、操作部１７と、表示部１８と、マイク１９と、スピーカ２０と、を備える。
【００１９】
通話用アンテナ１１は、外部と通話用信号を送受信する。
通話用ＲＦ回路１３は、通話用アンテナ１１で受信された通話用信号を携帯電話機１で利用可能な信号に変換し、生成された送信用の信号を通話用アンテナ１１から送信可能な信号に変換する高周波回路である。
ワンセグ放送用アンテナ１２は、外部からワンセグ放送用信号を受信する。
ワンセグ放送用ＲＦ回路１４は、ワンセグ放送用アンテナ１２で受信された高周波のワンセグ放送用信号を処理する。
ＣＰＵ１５は、プログラムによって様々な数値計算や情報処理、機器制御等を行う中央演算処理装置であり、例えば、通話用ＲＦ回路１３等の各種部位を制御する。
記憶部１６は、受信されたワンセグ放送や通信先が登録されるアドレス帳を記憶する。
操作部１７は、ユーザによる各種操作を入力する。携帯電話機１では、操作部１７へのこの入力操作を受けて、ＣＰＵ１５等による制御が行われる。
表示部１８は、例えば、ＬＣＤ（Ｌｉｑｕｉｄ  Ｃｒｙｓｔａｌ  Ｄｉｓｐｌａｙ）等のディスプレイとして構成され、受信したワンセグ放送を表示したり、着信の表示を行ったりするように構成される。
マイク１９は、通話時のユーザからの音声等を入力する。
スピーカ２０は、通話時の通信先からの音声等を出力する。
【００２０】
このように構成される携帯電話機１は、通話用アンテナ１１とワンセグ放送用アンテナ１２の性能を調整することができる機能を備える。
【００２１】
この携帯電話機１は、筐体１と、通話用アンテナ１１（無線通信信号用アンテナ）と、ワンセグ放送用アンテナ１２（テレビジョン信号用アンテナ）と、通話用ＲＦ回路１３（無線通信信号処理部）と、ワンセグ放送用ＲＦ回路１４と、第１のスイッチ部２１、第２のスイッチ部２２および整合回路、または第３のスイッチ部２４および第２の整合回路２５（整合状態変更部）と、ＣＰＵ１５（制御部）と、を備える。
通話用アンテナ１１は、筐体に配設され、通話（無線通信信号）の送信および受信を行う。
ワンセグ放送用アンテナ１２は、筐体に配設され、ワンセグ放送用信号（テレビジョン信号）の受信を行う。
通話用ＲＦ回路１３は、通話用アンテナ１１からの信号を処理する。
ワンセグ放送用ＲＦ回路１４は、ワンセグ放送用アンテナ１２からの信号を処理する。
第１のスイッチ部２１、第２のスイッチ部２２および整合回路、または第３のスイッチ部２４および第２の整合回路２５は、ワンセグ放送用アンテナ１２とワンセグ放送用ＲＦ回路１４との間で、アンテナの高周波的な整合状態を変更する。
ＣＰＵ１５は、ワンセグ放送用信号の受信状態および通話用信号の通信状態に応じて、通話用アンテナ１１とワンセグ放送用アンテナ１２との高周波的な整合状態を変更するように整合回路およびスイッチ部を制御する。
【００２２】
このように携帯電話機１を構成することで、ワンセグ放送用アンテナ１２とワンセグ放送用ＲＦ回路１４との間で、アンテナの高周波的な整合状態が調整されるために、通話の状態を良好にして通話を重視した設定に切り替えることができる。
【００２３】
また、携帯電話機１では、筐体は、操作部側筐体１Ａ（第１の筐体）と、表示部側筐体１Ｂ（第２の筐体）とからなり、表示部側筐体１Ｂに対して操作部側筐体１Ａが回動して折り畳み可能となるように、表示部側筐体１Ｂと、操作部側筐体１Ａとを連結するヒンジ部２と、を備え、通話用アンテナ１１は、操作部側筐体１Ａに配設され、ワンセグ放送用アンテナ１２は、表示部側筐体１Ｂに配設される表示部側回路基板（回路基板）をアンテナとして機能させる筐体ダイポールアンテナとして構成される。
【００２４】
このように携帯電話機１を構成することにより、ワンセグ放送用アンテナ１２が筐体ダイポールとなり、例えば、ワンセグ放送用アンテナ１２を第１のスイッチ部２１で切り離す、終端とすることで、通話用アンテナ１１のアンテナの性能を向上させることができる。
【００２５】
また、携帯電話機１では、ＣＰＵ１５（設定部）は、通話用アンテナ１１での通話信号の通話状態またはワンセグ放送用アンテナ１２での受信状態の何れの状態を優先するかを設定する。また、ＣＰＵ１５は、通話用アンテナ１１での通話信号の通話状態が着信状態であるとき、設定された内容に応じて、通話用アンテナ１１での通話信号の受信状態またはワンセグ放送用アンテナ１２での受信状態を優先するように制御する。
【００２６】
このように携帯電話機１を構成することで、ユーザは用途に合わせて、着信時における通話用アンテナ１１またはワンセグ放送用アンテナ１２を優先させるかを選択できるために、携帯電話機１の使用の自由度を高めることができる。
【００２７】
また、携帯電話機１では、ＣＰＵ１５は、通話用アンテナ１１での通話信号の通話状態または前記テレビジョン信号用アンテナでの前記受信状態の何れの状態を優先するかを設定する。また、ＣＰＵ１５は、通話用アンテナ１１での通話信号の通信状態が発信状態であるとき、設定された内容に応じて、通話用アンテナ１１での通話信号の発信状態またはワンセグ放送用アンテナ１２での発信状態を優先するように制御する。
【００２８】
このように携帯電話機１を構成することで、ユーザは用途に合わせて、発信時における通話用アンテナ１１またはワンセグ放送用アンテナ１２を優先させるかを選択できるために、携帯電話機１の使用の自由度を高めることができる。
【００２９】
また、携帯電話機１では、通信先のアドレス情報を含むアドレス帳を記憶する記憶部１６を備える。
ＣＰＵ１５は、通話用アンテナ１１での通話信号の通信先がアドレス帳に登録されているアドレス情報と一致する通信先であるとき、通話用アンテナ１１での通話信号の通話状態を優先するように制御する。
【００３０】
このように構成される携帯電話機１は、アドレス帳に登録された通信先に対しては、通話を重視するように動作させることができる。
【００３１】
また、携帯電話機１では、ワンセグ放送用信号の受信状態および通話信号の通信状態に応じて、ワンセグ放送用アンテナ１２とワンセグ放送用ＲＦ回路１４との間で、アンテナの高周波的な整合状態を変更する整合状態変更工程と、整合状態変更工程により、アンテナの高周波的な整合状態が変更されたワンセグ放送用信号に基づいて、ワンセグ放送用ＲＦ回路１４による信号処理を行う信号処理工程と、を含む制御方法により制御される。
【００３２】
このように携帯電話機１を構成することで、ワンセグ放送用アンテナ１２とワンセグ放送用ＲＦ回路１４との間で、アンテナの高周波的な整合状態が調整されるために、通話またはワンセグ放送のいずれかのアンテナの性能を向上させることができ、通話を重視した設定またはワンセグ放送を重視した設定に切り替えることができる。
【００３３】
ここで、図３は、アンテナの性能の調整に係る機能的構成の例を示す機能ブロック図である。
本実施形態の携帯電話機１においては、上述したように各アンテナ（通話用アンテナ１１およびワンセグ放送用アンテナ１２）から受信した電波をアンテナに対応した各ＲＦ回路（通話用ＲＦ回路１３およびワンセグ放送用ＲＦ回路）を介して利用するように構成される。
【００３４】
本実施形態においては、アンテナの性能を調整するための内部機構の構成について、以下の３種類の構成を例として説明する。また、本実施形態の携帯電話機１においては、ワンセグ放送用アンテナ１２側の整合を調整することにより、通話用アンテナ１１とワンセグ放送用アンテナ１２の性能を調整する。
【００３５】
まず、第１の例としては、図３（ａ）に示すように、携帯電話機１は、通話用アンテナ１１側と、ワンセグ放送用アンテナ１２側とで、異なる構成となる。通話用アンテナ１１側は、通話用アンテナ１１と、通話用ＲＦ回路１３と、を有する。通話用アンテナ１１は、通話用ＲＦ回路１３と直接接続される。
一方のワンセグ放送用アンテナ１２側は、ワンセグ放送用アンテナ１２と、第１のスイッチ部２１と、ワンセグ放送用ＲＦ回路１４と、を有する。
第１のスイッチ部２１は、ワンセグ放送用アンテナ１２とワンセグ放送用ＲＦ回路１４とに接続される。この第１のスイッチ部２１は、ＣＰＵ１５により、ワンセグ放送用アンテナ１２とワンセグ放送用ＲＦ回路１４との接続状態を切り替えるスイッチである。
【００３６】
このように構成される携帯電話機１においては、第１のスイッチ部２１をワンセグ放送用アンテナ１２とワンセグ放送用ＲＦ回路１４とが接続状態となるように切り替えた場合（図中の第１のスイッチ部２１において、破線で示される状態）には、通話用アンテナ１１の性能は低くなるが、ワンセグ放送の受信が可能な状態となる。
一方、第１のスイッチ部２１をワンセグ放送用アンテナ１２とワンセグ放送用ＲＦ回路１４とが非接続状態となるように切り替えた場合（図中の第１のスイッチ部２１、実線で示される状態）には、ワンセグ放送の受信は行えない状態となり、通話用アンテナ１１の性能が向上する。つまり、携帯電話機１においては、通話を優先した設定となる。本例の場合、携帯電話機１においては、ワンセグ放送用アンテナ１２を切り離すことにより、通話用アンテナ１１への干渉をなくし、ＶＳＷＲ（Ｖｏｌｔａｇｅ  Ｓｔａｎｄｉｎｇ  Ｗａｖｅ  Ｒａｔｉｏ：電圧定在波比）が改善され、いわゆる食われが改善されるために、通話用アンテナ１１の利得が向上する。
【００３７】
次に、第２の例としては、図３（ｂ）に示すように、ワンセグ放送用アンテナ１２側は、第２のスイッチ部２２と、第１の整合回路２３と、ワンセグ放送用ＲＦ回路１４とにより構成される。
第２のスイッチ部２２は、ワンセグ放送用アンテナ１２と、第１の整合回路２３と、ワンセグ放送用ＲＦ回路１４とに接続される。この第２のスイッチ部２２は、ＣＰＵ１５により、ワンセグ放送用アンテナ１２と、第１の整合回路２３およびワンセグ放送用ＲＦ回路１４と、の接続状態を切り替えるスイッチである。すなわち、第２のスイッチ部２２では、ワンセグ放送用アンテナ１２と第１の整合回路２３との接続と、ワンセグ放送用アンテナ１２とワンセグ放送用ＲＦ回路１４との接続を切り替える。
第１の整合回路２３は、通話用アンテナ１１の性能を向上させるようにワンセグ放送用アンテナ１２の整合を調整するように機能する回路であり、第２のスイッチ部２２と表示部側基板１２のクランドとに接続される。
【００３８】
このように構成される携帯電話機１においては、第２のスイッチ部２２をワンセグ放送用アンテナ１２と第１の整合回路２３とが接続状態となるように切り替えた場合（図中の第２のスイッチ部２２において、実線で示される状態）には、ワンセグ放送の受信は行えない状態となり、通話用アンテナ１１の性能が向上する。つまり、携帯電話機１においては、通話を優先した設定となる。
本例においては、第１の整合回路２３により通話用アンテナ１１の性能を向上させるために、通話用アンテナ１１の干渉を最小限に抑えるように、ワンセグ放送用アンテナ１２の整合が調整される。このため携帯電話機１においては、通話用アンテナ１１の性能がさらに高められる。本例の場合、携帯電話機１においては、ワンセグ放送用アンテナ１２を切り離すことにより、通話用アンテナ１１への干渉をなくし、ＶＳＷＲが改善され、いわゆる食われが改善されるために、通話用アンテナ１１の利得が向上する。
一方、第２のスイッチ部２２をワンセグ放送用アンテナ１２とワンセグ放送用ＲＦ回路１４とが接続状態となるように切り替えた場合（図中の第２のスイッチ部２２、破線で示される状態）には、通話用アンテナ１１の性能は低くなるが、ワンセグ放送の受信が可能な状態となる。
【００３９】
次に、第３の例としては、図３（ｃ）に示すように、ワンセグ放送用アンテナ１２側は、第３のスイッチ部２４と、第２の整合回路２５と、第４のスイッチ部２６と、ワンセグ放送用ＲＦ回路１４とにより構成される。
第３のスイッチ部２４は、ワンセグ放送用アンテナ１２と、第２の整合回路２５および第４のスイッチ部２６とに接続される。この第３のスイッチ部２４は、ＣＰＵ１５により、ワンセグ放送用アンテナ１２と、第２の整合回路２５および第４のスイッチ部２６と、の接続状態を切り替えるスイッチである。すなわち、第３のスイッチ部２４では、ワンセグ放送用アンテナ１２と第２の整合回路２５との接続と、ワンセグ放送用アンテナ１２と第４のスイッチ部２６との接続を切り替える。
第２の整合回路２５は、通話用アンテナ１１の性能を向上させるようにワンセグ放送用アンテナ１２の整合を調整するように機能する回路であり、第３のスイッチ部２４と第４のスイッチ部２６とに接続される。
【００４０】
このように構成される携帯電話機１においては、第３のスイッチ部２４をワンセグ放送用アンテナ１２と第２の整合回路２５とが接続状態となり、第４のスイッチ部２６を第２の整合回路２５とが接続状態となるように切り替えた場合（図中の第３のスイッチ部２４および第４のスイッチ部２６において、実線で示される状態）には、ワンセグ放送用アンテナ１２の性能が抑制され、通話用アンテナ１１の性能が向上する。つまり、携帯電話機１においては、通話を優先した設定となる。
本例においては、第２の整合回路２５により通話用アンテナ１１の性能を向上させ、ワンセグ放送用アンテナ１２へワンセグ放送用信号を極力通すために、通話用アンテナ１１の干渉を最小限に抑えるように、ワンセグ放送用アンテナ１２の整合が調整される。このため、携帯電話機１においては、通話用アンテナ１１の性能がさらに高められる。本例の場合、携帯電話機１においては、第２の整合回路２５により通話用アンテナ１１への干渉を抑え、ＶＳＷＲが改善され、いわゆる食われが改善されるために、通話用アンテナ１１の利得が向上する。
一方、第３のスイッチ部２４をワンセグ放送用アンテナ１２と第４のスイッチ部２６とが接続状態となり、第４のスイッチ部２６を第３のスイッチ部２４とが接続状態となるように切り替えた場合（図中の第３のスイッチ部２４および第４のスイッチ部２６において、破線で示される状態）には、ワンセグ放送用アンテナ１２の性能が抑制されずに、通常の状態となる。
【００４１】
次に、本実施形態の携帯電話機１の通話に係る動作について図４を用いて説明する。図４は、本実施形態の携帯電話機１の通話に係る動作を示すフローチャートである。
このように構成される携帯電話機１は、本実施形態においては、設定により、通話用アンテナ１１の性能を高めるように動作する。さらに、携帯電話機１は、通話用アンテナ１１の性能を高める設定において、通信先のアドレス帳への登録の有無の違いで、通話用アンテナ１１の性能を高めるように動作するように構成される。
【００４２】
本実施形態の携帯電話機１においては、着信時に通話を重視する設定とするか否かを設定により選択する機能を有する。以下、着信時に通話を重視する設定を着信時メイン重視設定という。
携帯電話機１は、本実施形態においては、図５（ａ）に示すように、３つの設定（常時ＯＮ、電話帳設定でＯＮ、常時ＯＦＦ）を有しており、ユーザは、各設定の中から設定を選択する。なお、図５（ａ）は、表示部１８に表示される着信時メイン重視設定の選択画面の一例を示す図である。
【００４３】
また、本実施形態の携帯電話機１においては、図５（ｂ）に示すように、アドレス帳に登録されている個別の電話番号に対応して、着信時メイン重視設定を行うか否かを設定により選択する機能を有する。本例においては、例えば、名前：「山田  太郎」・電話番号：「０９０−ＸＸＸＸ−ｏｏｏｏ」は、着信時メイン重視設定：「○」であり、着信時メイン重視設定を行うように設定される。また、名前：「鈴木  一郎」・電話番号：「０９０−ｏＸｏＸ−ＸＸＸＸ」は、着信時メイン重視設定：「×」であり、着信時メイン重視設定を行わないように設定される。なお、図５（ｂ）は、アドレス帳に対応する個別設定の内容の一例を示す図である。
【００４４】
また、本実施形態の携帯電話機１においては、図５（ｃ）に示すように、アドレス帳には個別の電話番号をグループ分けして登録可能であり、このグループ毎で着信時メイン重視設定を行うか否かを設定により選択する機能を有する。本例においては、例えば、グループ：「非通知」は、着信時メイン重視設定：「×」であり、着信時メイン重視設定を行わないように設定される。また、グループ：「友人」は、着信時メイン重視設定：「○」であり、着信時メイン重視設定を行うように設定される。なお、図５（ｃ）は、アドレス帳に対応するグループ設定の内容の一例を示す図である。
【００４５】
以下の携帯電話機１の動作の説明は、設定毎に行う。なお、本動作の説明には、図３（ａ）に示す第１の例を用いて行う。
まず、常時ＯＮの設定がされた場合についての動作について説明する。
【００４６】
ステップＳＴ１において、ユーザは、着信時メイン重視設定の選択を行う。本説明においては、常時ＯＮの設定の選択がなされる。その後、処理はステップＳＴ２−１に進む。
【００４７】
ステップＳＴ２−１において、携帯電話機１は、待ち受け状態となる。着信があった場合には、処理はステップＳＴ４に進む。
【００４８】
ステップＳＴ４において、ＣＰＵ１５は、アンテナをメイン重視に設定する。具体的には、ＣＰＵ１５は、図３（ａ）に示すように、第１のスイッチ部２１を、ワンセグ放送用ＲＦ回路１４と非接続状態（図中の第１のスイッチ部２１において、破線で示される状態）となるように切り替える。
これにより、携帯電話機１においては、通話用アンテナ１１の性能が向上して、高い通話品質を確保することができる。
その後、処理はステップＳＴ５に進む。
【００４９】
ステップＳＴ５において、携帯電話機１は、通話を行う。
通話を終了した場合は、処理が終了し、携帯電話機１は再び待受状態に戻る。
【００５０】
次に、電話帳設定ＯＮの設定がされた場合についての動作について説明する。
【００５１】
ステップＳＴ１において、ユーザは、着信時メイン重視設定の選択を行う。本説明においては、電話帳設定ＯＮの設定の選択がなされる。その後、処理はステップＳＴ２−２に進む。
【００５２】
ステップＳＴ２−２において、携帯電話機１は、待ち受け状態となる。着信があった場合には、処理はステップＳＴ３に進む。
【００５３】
ステップＳＴ３において、ＣＰＵ１５は、誰からの着信かアドレス帳で確認する。具体的には、ＣＰＵ１５は、発信元の電話番号がアドレス帳に登録されており、着信時メイン重視設定がなされているか否かの判定を行う。
発信元の電話番号がアドレス帳に登録されており、着信時メイン重視設定がなされている場合（アドレス帳  メイン重視設定：○）には、ステップＳＴ４に進む。
発信元の電話番号がアドレス帳に登録されていないか、または、発信元の電話番号がアドレス帳に登録されており、着信時メイン重視設定がなされていない場合（アドレス帳  メイン重視設定：×）には、ステップＳＴ６に進む。
【００５４】
ステップＳＴ４において、ＣＰＵ１５は、アンテナをメイン重視に設定する。具体的には、ＣＰＵ１５は、図３（ａ）に示すように、第１のスイッチ部２１を、ワンセグ放送用ＲＦ回路１４と非接続状態（図中の第１のスイッチ部２１において、破線で示される状態）となるように切り替える。
これにより、携帯電話機１においては、通話用アンテナ１１の性能が向上して、高い通話品質を確保することができる。
その後、処理はステップＳＴ５に進む。
【００５５】
ステップＳＴ５において、携帯電話機１は、通話を行う。
通話を終了した場合は、処理が終了し、携帯電話機１は再び待受状態に戻る。
【００５６】
一方、発信元の電話番号がアドレス帳に登録されていないか、または、発信元の電話番号がアドレス帳に登録されており、着信時メイン重視設定がなされていない場合（アドレス帳  メイン重視設定：×）、ステップＳＴ６において、携帯電話機１は、通話を行う。
通話を終了した場合は、処理が終了し、携帯電話機１は再び待受状態に戻る。
【００５７】
次に、常時ＯＦＦの設定された場合についての動作について説明する。
【００５８】
ステップＳＴ１において、ユーザは、着信時メイン重視設定の選択を行う。本説明においては、常時ＯＦＦの設定の選択がなされる。その後、処理はステップＳＴ２−３に進む。
【００５９】
ステップＳＴ２−３において、携帯電話機１は、待ち受け状態となる。着信があった場合には、処理はステップＳＴ３に進む。
【００６０】
ステップＳＴ５において、携帯電話機１は、通話を行う。
通話を終了した場合は、処理が終了し、携帯電話機１は再び待受状態に戻る。
【００６１】
なお、本発明は、上述の実施形態に限定されるものではなく、本発明の目的を達成できる範囲での変形、改良等は本発明に含まれるものである。
【００６２】
なお、上述した通話用アンテナ及びワンセグ用アンテナは、本実施形態においては、通話用アンテナを操作部側筐体１Ａに内蔵し、ワンセグ用アンテナを表示部側筐体１Ｂに内蔵して構成したが、これに限られない。通話用アンテナ及びワンセグ用アンテナは、操作部側筐体１Ａまたは表示部側筐体１Ｂのいずれかの筐体に配設されていればよく、筐体に内蔵されるアンテナであっても筐体の外部に露出するアンテナであってもよい。
【００６３】
また、上述した実施形態においては、ワンセグ放送用アンテナ１２側において、整合状態を調整する構成を備えるように構成したがこれに限られず、通話用アンテナ１１側に整合状態を調整する構成を備えるように構成してもよい。
【００６４】
また、上述した実施形態においては、ワンセグ放送の受信と、通話による通信との整合状態を変更するように構成したがこれに限られない。例えば、複数のアンテナから受信される信号の整合状態を変更可能であればよく、例えば、ワンセグ放送と、データ通信との整合状態とを変更するように構成してもよい。
【００６５】
また、上述の実施形態では、本発明は、携帯電話機１を例として説明したが、特にこれに限定されない。本発明は、ワンセグ放送を受信可能であり、通話が可能な電子機器一般に適用することができる。
【符号の説明】
【００６６】
１        筐体
１Ａ      操作部側筐体
１Ｂ      表示部側筐体
１１      通話用アンテナ（無線通信信号用アンテナ）
１２      ワンセグ放送用アンテナ（テレビジョン信号用アンテナ）
１３      通話用ＲＦ回路（無線通信信号処理部）
１４      ワンセグ放送用ＲＦ回路（テレビジョン信号処理部）
１５      ＣＰＵ（制御部）
２１      第１のスイッチ部（整合状態変更部）
２２      第２のスイッチ部（整合状態変更部）
２３      第１の整合回路（整合状態変更部）
２４      第３のスイッチ部（整合状態変更部）
２５      第２の整合回路（整合状態変更部）
２６      第４のスイッチ部（整合状態変更部）
１００    携帯電話機（携帯電子機器）
【図１】
0005680953.tif 000002
【図２】
0005680953.tif 000003
【図３】
0005680953.tif 000004
【図４】
0005680953.tif 000005
【図５】
0005680953.tif 000006